(57)【特許請求の範囲】
【請求項１】
複数のラベルが帯状の剥離テープに剥離可能に貼り付けられたラベルテープであって、
前記ラベルは、前記ラベルを切断する第一切断線により分けられたラベル本体及び小ラベルを有し、
前記剥離テープは、前記剥離テープを切断する第二切断線により分けられた剥離テープ本体及び複数の剥離テープ小片を有し、
前記複数の剥離テープ小片は、互いに離間しており、それぞれ前記小ラベルの一部に重ね合わされるように前記ラベル本体及び前記小ラベルに貼り付けられており、
二つの前記剥離テープ小片は、それぞれ前記小ラベルの対向する一方端部及び他方端部に重ね合わされており、
前記一方端部に重ね合わされる前記剥離テープ小片は、前記剥離テープ小片を切断する第三切断線により分けられた剥離テープ小片本体及びメクリ代を有し、
前記メクリ代は、前記一方端部の前記他方端部とは反対側の端部である摘端部と同形に形成されるとともに前記摘端部と重ね合わされている、
ラベルテープ。
【請求項２】
前記小ラベルの前記剥離テープ本体に重ね合わされる面は、糊殺し処理が施されている、
請求項１に記載のラベルテープ。
【請求項３】
請求項１又は２に記載のラベルテープを繰出す繰出ユニットと、
前記繰出ユニットにより繰出された前記ラベルテープを回収する回収ユニットと、
前記ラベルテープの搬送経路における前記剥離テープ側に配置されて、前記剥離テープを屈曲させることで前記剥離テープから前記ラベルを剥離させる剥離ユニットと、
前記剥離ユニットにより剥離された前記ラベルを対象物に貼り付ける貼付ユニットと、を備える、
ラベル貼付システム。
【発明の詳細な説明】
【技術分野】
【０００１】
本発明は、剥離テープにラベルが貼り付けられたラベルテープ及びラベル貼付システムに関する。
【背景技術】
【０００２】
従来から、複数のラベルが帯状の剥離テープに重ね合わされるとともに剥離可能に貼り付けられたラベルテープが知られている（例えば、特許文献１参照）。このようなラベルテープでは、ラベル及び剥離テープの何れか一方のみを切断するハーフカットを行うことで、任意の形状のラベルを形成したり、ラベル内に小ラベルを型抜したり、ラベルを剥離し易くしたりすることが可能となっている。
【先行技術文献】
【特許文献】
【０００３】
【特許文献１】特開２００２−０９９２１５号公報
【発明の概要】
【発明が解決しようとする課題】
【０００４】
ところで、医療機関等では、医療機器とカルテとを一対一で対応付けるために、医療機器とカルテとに同じ識別記号が付されたラベルを貼り付けている。このような用途でラベルテープを使用する場合は、ラベルテープを次のように構成することが考えられる。つまり、ラベルをハーフカットすることにより、１枚のラベルに、医療機器に貼り付けられるラベル本体とカルテに貼り付けられる小ラベルとを形成する。そして、ラベル本体と小ラベルとに同じ識別記号を付す。また、剥離テープをハーフカットすることにより、剥離テープに、小ラベル全体を囲む剥離テープ小片を形成する。このラベルテープでは、剥離テープからラベルを剥離すると、剥離小片は、剥離テープから切り離されて、ラベル側に貼り付けられたままとなる。そして、剥離テープから剥離したラベルを医療機器に貼り付けた後、小ラベルをラベルから剥離してカルテに貼り付ける。これにより、医療機器及びカルテに同じ識別記号が付される。
【０００５】
ここで、剥離テープからラベルを剥離して医療機器に貼り付けるために、ラベラーと呼ばれるラベル貼付システムを使用することが考えられる。しかしながら、ラベル貼付システムを使用すると、ラベルテープに張力が付与される。一方、剥離テープからラベルを剥離すると、剥離テープには小ラベルよりも大きな開口が形成される。このため、この開口から剥離テープが破断し易くなる。その結果、ラベルを剥離した剥離テープの回収不良が発生する可能性がある。
【０００６】
そこで、本発明は、張力が付与されても剥離テープが破断し難いラベルテープ及びラベル貼付システムを提供することを目的とする。
【課題を解決するための手段】
【０００７】
本発明に係るラベルテープは、複数のラベルが帯状の剥離テープに剥離可能に貼り付けられたラベルテープであって、ラベルは、ラベルを切断する第一切断線により分けられたラベル本体及び小ラベルを有し、剥離テープは、剥離テープを切断する第二切断線により分けられた剥離テープ本体及び複数の剥離テープ小片を有し、複数の剥離テープ小片は、互いに離間しており、それぞれ小ラベルの一部に重ね合わされるようにラベル本体及び小ラベルに貼り付けられている。
【０００８】
本発明に係るラベルテープでは、ラベル貼付システム等によって剥離テープからラベルを剥離すると、剥離テープ本体から剥離テープ小片が分離されるとともに、分離された剥離テープ小片がラベル本体及び小ラベルに貼り付けられたままの状態となる。ここで、剥離テープ小片が複数あるとともに、複数の剥離テープ小片は互いに離間している。このため、剥離テープ本体から剥離テープ小片が分離されると、剥離テープ本体には小ラベルよりも小さい開口しか形成されず、また、隣接する開口の間の領域に剥離テープ本体が渡される。このため、ラベル貼付システム等によってラベルテープに張力が付与されても、剥離テープからラベルが剥離された後に剥離テープ本体が破断するのを抑制することができる。
【０００９】
また、小ラベルの剥離テープ本体に重ね合わされる面は、糊殺し処理が施されていてもよい。このラベルテープでは、小ラベルの剥離テープ小片が重ね合わされていない面に糊殺し処理が施されているため、剥離テープから剥離したラベルを対象物に貼り付けた後も、ラベル本体から小ラベルを容易に剥離することが可能となる。
【００１０】
また、二つの剥離テープ小片は、それぞれ小ラベルの対向する一方端部及び他方端部に重ね合わされてもよい。このラベルテープでは、小ラベルの両端部が剥離テープ小片に重ね合わされているため、対象物に対する小ラベルの貼り付け性を向上することができる。
【００１１】
また、一方端部に重ね合わされる剥離テープ小片は、剥離テープ小片を切断する第三切断線により分けられた剥離テープ小片本体及びメクリ代を有し、メクリ代は、一方端部の他方端部とは反対側の端部である摘端部と同形に形成されるとともに摘端部と重ね合わされてもよい。このラベルテープでは、メクリ代が摘端部と同形に形成されるとともに当該摘端部と重ね合わされているため、第一切断線の一部と第三切断線の一部とが重なる。このため、小ラベルをラベル本体から剥離する前の状態、すなわち小ラベルが剥離テープ小片に貼り付けられた状態においても、メクリ代及び摘端部を摘まんで捲り上げることができる。これにより、ラベル本体から小ラベルを剥離し易くなる。
【００１２】
本発明に係るラベル貼付ユニットは、上記の何れかのラベルテープを繰出す繰出ユニットと、繰出ユニットにより繰出されたラベルテープを回収する回収ユニットと、ラベルテープの搬送経路における剥離テープ側に配置されて、剥離テープを屈曲させることで剥離テープからラベルを剥離させる剥離ユニットと、剥離ユニットにより剥離されたラベルを対象物に貼り付ける貼付ユニットと、を備える。
【００１３】
本発明に係るラベル貼付システムでは、上記のラベルテープを用いて、剥離テープからラベルを剥離して対象物に貼り付ける。このため、回収ユニット等によって剥離テープに張力が付与されても、剥離ユニットにおいて剥離テープからラベルが剥離された後に剥離テープ本体が破断するのを抑制することができる。
【発明の効果】
【００１４】
本発明によれば、張力が付与されても剥離テープが破断し難くなる。
【図面の簡単な説明】
【００１５】
【図１】ラベル貼付システムを示す概略構成図である。
【図２】図１に示すラベル貼付システムの剥離ユニット部分を拡大した図である。
【図３】ラベルテープを示す図であり、（ａ）は表面を示し、（ｂ）は裏面を示す。
【図４】剥離テープから剥離したラベルを示す図であり、（ａ）表面を示し、（ｂ）は裏面を示す。
【図５】ラベルを剥離した剥離テープを示す図である。
【図６】小ラベルを剥離したラベル本体を示す図であり、（ａ）は表面を示し、（ｂ）は裏面を示す。
【図７】ラベル本体から剥離した小ラベルを示す図であり、（ａ）は表面を示し、（ｂ）は裏面を示す。
【図８】他のラベルテープを示す図であり、（ａ）は表面を示し、（ｂ）は裏面を示す。
【図９】比較例のラベルテープを示す図であり、（ａ）は表面を示し、（ｂ）は裏面を示す。
【発明を実施するための形態】
【００１６】
以下、本発明の好適な実施形態について図面を参照しながら説明する。なお、各図において同一又は相当する要素については同一の符号を付し、重複する説明を省略する。
【００１７】
図１は、ラベル貼付システムを示す概略構成図である。図２は、図１に示すラベル貼付システムの剥離ユニット部分を拡大した図である。図１及び図２に示すように、ラベル貼付システム１は、複数のラベル２０が帯状の剥離テープ３０に剥離可能に貼り付けられたラベルテープ１０を用いて、対象物Ａにラベル２０を自動的に貼り付けるシステムである。ラベル貼付システム１は、搬送ユニット２と、繰出ユニット３と、回収ユニット４と、剥離ユニット５と、ローラユニット６と、貼付ユニット７と、を備える。
【００１８】
搬送ユニット２は、ラベル２０の貼り付け対象となる対象物Ａを搬送する。搬送ユニット２としては、例えば、ベルトコンベアが用いられる。
【００１９】
繰出ユニット３は、ラベルテープ１０が巻回された巻回体を回転可能に保持するとともに、当該巻回体からラベルテープを繰り出す。繰出ユニット３としては、例えば、ラベルテープ１０の巻回体が装着されるローラが用いられる。なお、このローラは、駆動ローラであってもよく、従動ローラであってもよい。
【００２０】
回収ユニット４は、繰出ユニット３により繰出されたラベルテープ１０を巻き取ることにより回収する。回収ユニット４は、駆動モータ（不図示）によりラベルテープ１０を能動的に巻き取る。回収ユニット４としては、例えば、駆動モータ（不図示）によりラベルテープ１０を巻き取る駆動ローラが用いられる。
【００２１】
剥離ユニット５は、剥離テープ３０からラベル２０を剥離されて、剥離テープ３０を屈曲させることで剥離テープ３０からラベル２０を剥離させる。剥離ユニット５は、ラベルテープ１０の幅方向に延在しており、ラベルテープ１０の剥離テープ３０側に配置される。そして、回収ユニット４によりラベルテープ１０を巻き取ると、剥離テープ３０が剥離ユニット５に当接される。剥離テープ３０に当接される剥離ユニット５の先端縁は、鋭角に形成されている。このため、回収ユニット４によりラベルテープ１０を巻き取ると、剥離テープ３０のみが剥離ユニット５の先端縁に沿って屈曲され、ラベル２０は、剥離テープ３０から剥離される。
【００２２】
ローラユニット６は、繰出ユニット３から繰り出されたラベルテープ１０を剥離ユニット５に案内する。また、ローラユニット６は、ラベルテープ１０に所定の付与する張力を調整するともに、剥離ユニット５に案内するラベルテープ１０の角度を調整する。ローラユニット６としては、例えば、繰出ユニット３と剥離ユニット５との間の搬送経路に配置された複数の従動ローラにより構成することができる。この場合、各従動ローラの位置を調整することで、ラベルテープ１０に所定の付与する張力を調整するともに、剥離ユニット５に対するラベルテープ１０（剥離テープ３０）の屈曲角度を調整することが可能となる。
【００２３】
貼付ユニット７は、剥離ユニット５により剥離テープ３０から剥離されたラベル２０を、搬送ユニット２により搬送されている対象物Ａに貼り付ける。貼付ユニット７としては、例えば、剥離テープ３０から剥離されたラベル２０を吸着する吸着面を備えたピストン部材であってもよい。この場合、剥離テープ３０から剥離されたラベル２０は、一旦、ピストン部材の吸着面に吸着される。その後、ピストン部材が搬送ユニット２側に移動することで、ラベル２０が対象物Ａに貼り付けられる。
【００２４】
次に、ラベルテープ１０について詳しく説明する。図３は、ラベルテープを示す図であり、（ａ）は表面を示し、（ｂ）は裏面を示す。図４は、剥離テープから剥離したラベルを示す図であり、（ａ）表面を示し、（ｂ）は裏面を示す。図５は、ラベルを剥離した剥離テープを示す図である。図６は、小ラベルを剥離したラベル本体を示す図であり、（ａ）は表面を示し、（ｂ）は裏面を示す。図７は、ラベル本体から剥離した小ラベルを示す図であり、（ａ）は表面を示し、（ｂ）は裏面を示す。
【００２５】
図１〜図６に示すように、ラベル２０は、対象物Ａに貼り付けるシール部材である。ラベル２０は、紙や樹脂等の基材に、粘着層が形成された構造となっている。粘着層は、ラベル２０の剥離テープ３０側の面に形成されている。ラベル２０の形状は、特に限定されないが、例えば略矩形とすることができる。
【００２６】
ラベル２０は、ラベル２０を切断する第一切断線Ｌ１により分けられたラベル本体２１及び小ラベル２２を有する。第一切断線Ｌ１は、所謂ハーフカットにより形成される切断線であり、ラベル２０は切断するが、剥離テープ３０は切断しない切断線である。このため、ラベル２０は、第一切断線Ｌ１で切断されているが、剥離テープ３０は、第一切断線Ｌ１で切断されていない。但し、ラベル２０を第一切断線Ｌ１で切断するために、剥離テープ３０のラベル２０側の一部は、第一切断線Ｌ１に沿って切り込まれている。
【００２７】
小ラベル２２は、細長の略矩形に形成されている。そして、小ラベル２２は、ラベル本体２１の内側に配置されており、小ラベル２２の全周囲が、ラベル本体２１に囲まれている。このため、ラベル本体２１は、ラベル２０の外形を成しており、ラベル本体２１の内側に、略矩形の開口が形成されている。なお、小ラベル２２の形状やラベル本体２１に対する小ラベル２２の位置などは、特に限定されるものではない。そして、ラベル本体２１及び小ラベル２２に、それぞれ同じ識別記号が付されている。図面では、ラベル本体２１及び小ラベル２２に、それぞれ「ＡＡＡ」の識別記号が付された場合を示している。
【００２８】
剥離テープ３０は、ラベル２０を剥離可能に粘着されてラベル２０を支持する支持部材である。剥離テープ３０は、剥離紙、剥離テープ、剥離シート等とも呼ばれる。剥離テープ３０は、紙や樹脂等の基材に、シリコーン等の剥離剤で形成される剥離層が形成された構造となっている。剥離層は、剥離テープ３０のラベル２０側の面に形成されている。剥離テープ３０の短手方向の幅は、ラベル２０の幅よりも大きい。そして、剥離テープ３０に、剥離テープ３０の長手方向に沿って、複数のラベル２０が所定の隙間を開けて直列的に貼り付けられている。また、ラベル２０は、剥離テープ３０の長手方向と小ラベル２２の長手方向とが直交する向きで、剥離テープ３０に貼り付けられている。
【００２９】
剥離テープ３０は、剥離テープ３０を切断する第二切断線Ｌ２により分けられた剥離テープ本体３１及び複数の剥離テープ小片３２を有する。第二切断線Ｌ２は、所謂ハーフカットにより形成される切断線であり、剥離テープ３０は切断するが、ラベル２０は切断しない切断線である。このため、剥離テープ３０は、第二切断線Ｌ２で切断されているが、ラベル２０は、第二切断線Ｌ２で切断されていない。但し、剥離テープ３０を第二切断線Ｌ２で切断するために、ラベル２０の剥離テープ３０側の一部は、第二切断線Ｌ２に沿って切り込まれている。
【００３０】
剥離テープ小片３２は、略矩形に形成されている。そして、剥離テープ小片３２は、剥離テープ本体３１の内側に配置されており、剥離テープ小片３２の全周囲が、剥離テープ本体３１に囲まれている。このため、剥離テープ本体３１は、剥離テープ３０の外形を成しており、剥離テープ本体３１の内側に、複数の略矩形の開口が形成されている。なお、剥離テープ小片３２の形状は、特に限定されるものではない。複数の剥離テープ小片３２は、互いに離間しており、それぞれ小ラベル２２の一部に重ね合わされるようにラベル本体２１及び小ラベル２２に貼り付けられている。
【００３１】
具体的に説明すると、剥離テープ小片３２は、１枚のラベル２０に対して２枚で構成されている。この２枚の剥離テープ小片３２は、それぞれ小ラベル２２の対向する一方端部２３ａ及び他方端部２３ｂに重ね合わされる。一方端部２３ａ及び他方端部２３ｂは、細長の略矩形に形成された小ラベル２２の長手方向における両端部となる。ここで、一方端部２３ａに重ね合わされる剥離テープ小片３２を、剥離テープ小片３２ａといい、他方端部２３ｂに重ね合わされる剥離テープ小片３２を、剥離テープ小片３２ｂという。また、対向する一方端部２３ａ及び他方端部２３ｂを、単に端部２３ともいう。
【００３２】
剥離テープ小片３２ａ及び剥離テープ小片３２ｂは、剥離テープ３０の短手方向である幅方向に配列されている。剥離テープ小片３２ａと剥離テープ小片３２ｂとの離間距離は、特に限定されるものではない。例えば、剥離テープ３０の幅方向において、剥離テープ小片３２ａ及び剥離テープ小片３２ｂの寸法が１５ｍｍ程度である場合は、剥離テープ小片３２ａと剥離テープ小片３２ｂとの離間距離を８ｍｍ以上１２ｍｍ以下とすることができる。
【００３３】
剥離テープ小片３２は、小ラベル２２の端部を囲むように、小ラベル２２の端部２３及びラベル本体２１に重ね合わされている。つまり、剥離テープ小片３２は、小ラベル２２の端部２３だけでなく、ラベル本体２１の端部２３を囲む部分にも重ね合わされている。このため、ラベル本体２１から小ラベル２２を剥離した際に、剥離テープ小片３２がラベル本体２１に貼り付けられた状態が保持されて、小ラベル２２から剥離テープ小片３２が剥離される。ここで、剥離テープ小片３２のラベル本体２１に重ね合わされる部分が広いと、ラベル本体２１を対象物Ａに貼り付けるための面積が減る。一方、剥離テープ小片３２のラベル本体２１に重ね合わされる部分が狭いと、ラベル本体２１に対する剥離テープ小片３２の貼り付けるための面積が減る。そこで、両者のバランスから、小ラベル２２の外縁から剥離テープ小片３２の外縁までの寸法（剥離テープ小片３２のラベル本体２１に重ね合わされる部分の幅）を設定する。例えば、小ラベル２２の外縁から剥離テープ小片３２の外縁までの寸法は、２ｍｍ以上４ｍｍ以下とすることができる。
【００３４】
また、一方端部２３ａに重ね合わされる剥離テープ小片３２ａは、剥離テープ小片３２を切断する第三切断線Ｌ３により分けられた剥離テープ小片本体３２１及びメクリ代３２２を有する。第三切断線Ｌ３は、所謂ハーフカットにより形成される切断線であり、剥離テープ小片３２ａは切断するが、ラベル２０は切断しない切断線である。このため、剥離テープ小片３２ａは、第三切断線Ｌ３で切断されているが、ラベル２０は、第一切断線Ｌ１と第三切断線Ｌ３とが重なる部分（詳細は後述する）を除き、第三切断線Ｌ３で切断されていない。但し、剥離テープ小片３２ａを第三切断線Ｌ３で切断するために、ラベル２０の剥離テープ小片３２ａ側の一部は、第三切断線Ｌ３に沿って切り込まれている。
【００３５】
メクリ代３２２は、細長の略矩形に形成されている。そして、メクリ代３２２は、剥離テープ小片本体３２１の内側に配置されており、メクリ代３２２の全周囲が、剥離テープ小片本体３２１に囲まれている。このため、剥離テープ小片本体３２１は、剥離テープ小片３２ａの外形を成しており、剥離テープ小片本体３２１の内側に、略矩形の開口が形成されている。メクリ代３２２は、一方端部２３ａの他方端部２３ｂとは反対側の端部である摘端部２５と同形に形成されている。また、メクリ代３２２は、摘端部２５と重ね合わされている。このため、メクリ代３２２の外縁と摘端部２５の外縁とが重なる位置では、第一切断線Ｌ１と第三切断線Ｌ３とが重なっている。つまり、第一切断線Ｌ１と第三切断線Ｌ３とが重なる部分では、ラベル２０及び剥離テープ３０の双方が切断されている。このため、小ラベル２２をラベル本体２１から剥離する前の状態、すなわち小ラベル２２が剥離テープ小片３２に貼り付けられた状態においても、メクリ代３２２及び摘端部２５を摘まんで捲り上げることが可能な状態となっている。
【００３６】
ところで、小ラベル２２は、剥離テープ本体３１に重ね合わされる部分と、剥離テープ小片３２に重ね合わされる部分と、に分けられる。そして、小ラベル２２の剥離テープ本体３１に重ね合わされる面２４は、糊殺し処理が施されている。一方、小ラベル２２の剥離テープ小片３２に重ね合わされる面は、糊殺し処理が施されていない。これにより、剥離テープ３０から剥離したラベル２０を対象物Ａに貼り付けても、小ラベル２２は対象物Ａに貼り付けられない。このため、対象物Ａに貼り付けられたラベル本体２１から小ラベル２２を剥離して、小ラベル２２を別の対象物（不図示）に貼り付けることが可能となる。なお、糊殺し処理とは、部分的に粘着力を封じる処理であり、糊殺し処理としては、例えば、粘着層にインク又はニス等を印刷する処理が挙げられる。
【００３７】
次に、ラベル貼付システム１によりラベル２０を対象物に貼り付ける方法について説明する。
【００３８】
まず、ラベル２０の巻回体をラベル貼付システム１にセットし、回収ユニット４を駆動してラベルテープ１０を巻き取る。すると、繰出ユニット３から繰り出されたラベル２０は、ローラユニット６を経由して剥離ユニット５まで搬送される。ラベル２０が剥離ユニット５まで搬送されると、剥離テープ３０は、剥離ユニット５に沿って屈曲されて、回収ユニット４により巻き取られる。一方、ラベル２０は、自身の剛性により剥離ユニット５の先端縁を過ぎても真っ直ぐ進もうとする。このため、ラベル２０は、剥離テープ３０に追従することなく、剥離テープ３０から剥離される。同様に、第二切断線Ｌ２により分けられている剥離テープ小片３２も、剥離テープ本体３１から分離されて、ラベル２０（ラベル本体２１及び小ラベル２２）に貼り付けられたままの状態となる。一方、剥離テープ本体３１には、剥離テープ小片３２があった位置に開口Ｚが形成される（図５参照）。そして、剥離テープ本体３１は、張力を受けながら、回収ユニット４に巻き取られる。
【００３９】
ここで、図９を参照して、比較例のラベルテープを用いた場合と比較する。図９は、比較例のラベルテープを示す図であり、（ａ）は表面を示し、（ｂ）は裏面を示す。図９に示すように、比較例のラベルテープ１０は、本実施形態のラベルテープ１０と同様に、複数のラベル１２０が帯状の剥離テープ１３０に剥離可能に貼り付けられている。比較例は、剥離テープ１３０に、小ラベル１２２全体を囲む剥離テープ小片１３２が形成されている点を除いて、本実施形態と同様である。
【００４０】
比較例のラベル１２０では、剥離テープ小片１３２が小ラベル１２２全体を囲むため、ラベル貼付システム１により剥離テープ１３０からラベル１２０を剥離すると、剥離テープ１３０には、小ラベル１２２よりも大きな開口Ｚが形成される。このため、剥離テープ本体１３１が張力を受けながら回収ユニット４に巻き取られる際に、剥離テープ本体１３１が開口Ｚから破断しやすくなる。
【００４１】
これに対し、本実施形態のラベルテープ１０では、剥離テープ本体３１に形成される開口Ｚは、小ラベル２２よりも小さく、また、隣接する開口Ｚの間の領域Ｘに剥離テープ本体３１が渡されている。このため、比較例に比べて、剥離テープ本体３１が張力を受けながら回収ユニット４に巻き取られる際に、剥離テープ本体３１が開口Ｚから破断し難くなる。
【００４２】
一方、剥離テープ３０から剥離されたラベル２０は、剥離テープ小片３２が重ね合わされている部分を除き、粘着層が露出している。そこで、貼付ユニット７により、吸着されて搬送ユニット２により搬送されてきた対象物Ａに、剥離テープ３０から剥離されたラベル２０を押し付けることで、ラベル２０が対象物Ａに貼り付けられる。
【００４３】
上述したように、小ラベル２２の剥離テープ本体３１に重ね合わされていた面２４は、糊殺し処理が施されている。このため、対象物Ａにラベル２０が貼り付けられた後、メクリ代３２２及び摘端部２５を摘まんで捲り上げることで、ラベル本体２１から小ラベル２２を剥離することができる。そして、この剥離した小ラベル２２を、カルテなどの第二対象物（不図示）に貼り付けることで、対象物Ａと第二対象物とを一対一で対応させることができる。
【００４４】
以上説明したように、本実施形態に係るラベルテープ１０では、ラベル貼付システム１によって剥離テープ３０からラベル２０を剥離すると、剥離テープ本体３１から剥離テープ小片３２が分離されるとともに、分離された剥離テープ小片３２がラベル本体２１及び小ラベル２２に貼り付けられたままの状態となる。ここで、剥離テープ小片３２が複数あるとともに、複数の剥離テープ小片３２は互いに離間している。このため、剥離テープ本体３１から剥離テープ小片３２が分離されると、剥離テープ本体３１には小ラベル２２よりも小さい開口Ｚしか形成されず、また、隣接する開口Ｚの間の領域Ｘに剥離テープ本体３１が渡される。このため、ラベル貼付システム１によってラベルテープ１０に張力が付与されても、剥離テープ３０からラベル２０が剥離された後に剥離テープ本体３１が破断するのを抑制することができる。
【００４５】
また、小ラベル２２の剥離テープ小片３２が重ね合わされていない面２４に糊殺し処理が施されているため、剥離テープ３０から剥離したラベル２０を対象物Ａに貼り付けた後も、ラベル本体２１から小ラベル１１を容易に剥離することが可能となる。
【００４６】
また、小ラベル２２の両端部２３が剥離テープ小片３２に重ね合わされているため、対象物Ａに対する小ラベル２２の貼り付け性を向上することができる。
【００４７】
また、メクリ代３２２が摘端部２５と同形に形成されるとともに当該摘端部２５と重ね合わされているため、第一切断線Ｌ１の一部と第三切断線Ｌ３の一部とが重なる。このため、小ラベル２２をラベル本体２１から剥離する前の状態、すなわち小ラベル２２が剥離テープ小片３２に貼り付けられた状態においても、メクリ代３２２及び摘端部２５を摘まんで捲り上げることができる。これにより、ラベル本体２１から小ラベル２２を剥離し易くなる。
【００４８】
また、本実施形態に係るラベル貼付システム１では、上記のラベルテープ１０を用いて、剥離テープ３０からラベル２０を剥離して対象物Ａに貼り付ける。このため、回収ユニット４等によって剥離テープ３０に張力が付与されても、剥離ユニット５において剥離テープ３０からラベル２０が剥離された後に剥離テープ本体３１が破断するのを抑制することができる。
【００４９】
以上、本発明の好適な実施形態について説明したが、本発明は上記実施形態に限定されるものではない。
【００５０】
例えば、上記実施形態では、剥離テープ３０の長手方向と小ラベル２２の長手方向とが直交するように、ラベル２０が剥離テープ３０に貼り付けられるものとして説明した。しかしながら、剥離テープ３０に対するラベル２０の向きは特に限定されるものではない。例えば、図８に示すラベルテープ１０’のように、剥離テープ３０’の長手方向と小ラベル２２の長手方向とが直交するように、ラベル２０が剥離テープ３０’に貼り付けられてもよい。この場合、剥離テープ３０’の剥離テープ小片３２’と剥離テープ小片３２’とが配列される方向（ラベル２０の一方端部２３ａと他方端部２３ｂとが配列される方向）は、剥離テープ３０の長手方向と同じ方向となる。このような場合であっても、剥離テープ本体３１’には小ラベル２２よりも小さい開口Ｚしか形成されず、また、隣接する開口Ｚの間の領域Ｘに剥離テープ本体３１’が渡される。このため、ラベル貼付システム１によってラベルテープ１０に張力が付与されても、剥離テープ３０’からラベル２０が剥離された後に剥離テープ本体３１’が破断するのを抑制することができる。
【００５１】
また、上記実施形態では、剥離テープ小片３２は、１枚のラベル２０に対して２枚で構成されるものとして説明した。しかしながら、剥離テープ小片３２は、１枚のラベル２０に対して３枚以上で構成されていてもよい。この場合であっても、少なくとも２枚の剥離テープ小片３２は、一方端部２３ａ及び他方端部２３ｂに重ね合わされることが好ましい。
【００５２】
また、上記実施形態では、剥離テープ小片３２は、一方端部２３ａ及び他方端部２３ｂの双方に重ね合わさるものとして説明した。しかしながら、一方端部２３ａ及び他方端部２３ｂの何れか一方のみに重ね合わされるものであってもよい。
【符号の説明】
【００５３】
１…ラベル貼付システム、２…搬送ユニット、３…繰出ユニット、４…回収ユニット、５…剥離ユニット、６…ローラユニット、７…貼付ユニット、１０…ラベルテープ、１１…小ラベル、２０…ラベル、２１…ラベル本体、２２…小ラベル、２３…端部、２３ａ…一方端部、２３ｂ…他方端部、２４…面、２５…摘端部、３０…剥離テープ、３１…剥離テープ本体、３２…剥離テープ小片、３２ａ…剥離テープ小片、３２ｂ…剥離テープ小片、３２１…剥離テープ小片本体、３２２…メクリ代、Ａ…対象物、Ｌ１…第一切断線、Ｌ２…第二切断線、Ｌ３…第三切断線、Ｘ…領域、Ｚ…開口。
【図１】
0006540034.tif 000002
【図２】
0006540034.tif 000003
【図３】
0006540034.tif 000004
【図４】
0006540034.tif 000005
【図５】
0006540034.tif 000006
【図６】
0006540034.tif 000007
【図７】
0006540034.tif 000008
【図８】
0006540034.tif 000009
【図９】
0006540034.tif 000010